(57)【要約】【課題】製造工程が簡単でコストが安価であり、糸により形成された縫い取り部で容易に補強し、耐久性を高め、確実に手を保護することができる手袋を提供する。【解決手段】手に着用する手袋本体１２の、親指を覆う親指部と人差し指を覆う人差し指部２０の間の谷部２１に、手袋本体１２の生地に糸を複数回刺して生地を貫通するループを連続して形成し、任意の形状に縫った縫い取り部３０を備える。縫い取り部３０は、親指部１８の、人差し指部２０に近い側縁部１８ａと、人差し指部２０の、親指部１８に近い側縁部２０ａが交差する谷部２１を中心として、側縁部１８ａ，２０ａに沿ってＶ字状に設けられている。縫い取り部３０形成する糸２９は、各側縁部１８ａ，２０ａに対して交差する方向に所定の幅で往復して縫われている。【選択図】図１
0003210001.tif 000002
【実用新案登録請求の範囲】
【請求項１】
手に着用する手袋本体の、親指を覆う親指部と人差し指を覆う人差し指部の間の谷部に、前記手袋本体の生地に糸が複数回刺されて、生地を貫通するループが連続して形成された形状で縫われた縫い取り部が設けられていることを特徴とする手袋。
【請求項２】
前記手袋本体は、手の平部と手の甲部が筒状に形成され、前記縫い取り部は、前記親指部の、前記人差し指部に近い側縁部と、前記人差し指部の、前記親指部に近い側縁部が交差する交点をほぼ中心として、前記側縁部に沿ってＶ字状に設けられ、前記縫い取り部を形成する前記糸は、前記各側縁部に対して交差する方向に所定の幅で往復するように縫われている請求項１記載の手袋。
【請求項３】
前記手袋本体は、生地糸を編み上げて形成されている請求項１記載の手袋。
【考案の詳細な説明】
【技術分野】
【０００１】
この考案は、各種の作業や防寒等のために手に装着する手袋に関する。
【背景技術】
【０００２】
従来、手の保護や防寒用の手袋、種々の樹脂を塗布した作業用手袋やすべり止付手袋等、色々な目的で着用する様々な手袋がある。手袋は、親指と人差し指が摩擦等で傷みやすいものであり、親指と人差し指、また親指と人差し指の間の谷部を補強した手袋が以下の特許文献に開示されている。
【０００３】
特許文献１に開示されているスポーツ用手袋は、掌の上半部に縫製された第一補強帯が設けられ、さらに、第一補強体を完全に被覆する主部と、親指の指掌を被覆する親指部と、人差し指の指掌を被覆する人差し指部とが一体的に形成された第二補強帯が設けられている。このスポーツ用手袋は、第二補強帯により親指の指掌と人差し指の指掌を補強し、強くするものである。
【０００４】
特許文献２に開示されている多用途手袋は、布材部と該布材部に結合されているエラストマー材から形成されている三次元成形部とを備え、三次元成形部は、着用者の掌の一部、親指の一部、及び１つの指の一部を覆うように構成されている。この多用途手袋は、エラストマー材により、汚れを防ぎ、摩耗及び衝撃に対する保護を行うことができる。
【先行技術文献】
【特許文献】
【０００５】
【特許文献１】実開平５−５１３８４号公報
【特許文献２】特開２０１５−１５５５８９号公報
【考案の概要】
【考案が解決しようとする課題】
【０００６】
上記背景技術の場合、手袋本体に、手袋本体とは別のシート材又はエラストマー材で作られた補強材を重ねて取り付けるものであり、材料が多く、また製造コストが掛かるものである。取付方法も、縫製や射出成型等によるため、作業効率が良くないものである。
【０００７】
この考案は、上記背景技術の問題点に鑑みてなされたものであり、製造工程が簡単でコストが安価であり、糸により形成された縫い取り部で容易に補強し、耐久性を高め、確実に手を保護することができる手袋を提供することを目的とする。
【課題を解決するための手段】
【０００８】
本考案は、手に着用する手袋本体の、親指を覆う親指部と人差し指を覆う人差し指部の間の谷部に、前記手袋本体の生地に糸が複数回刺されて、生地を貫通するループが連続して形成された形状で縫われた縫い取り部が設けられている手袋である。前記縫い取り部は、前記生地が前記糸で覆われて補強され、丈夫になる。
【０００９】
また、前記手袋本体は、手の平部と手の甲部が筒状に形成され、前記縫い取り部は、前記親指部の、前記人差し指部に近い側縁部と、前記人差し指部の、前記親指部に近い側縁部が交差する交点をほぼ中心として、前記側縁部に沿ってＶ字状に設けられ、前記縫い取り部を形成する前記糸は、前記各側縁部に対して交差する方向に所定の幅で往復するように縫われている。隣接する前記糸どうしの間隔は短く、前記糸と前記糸の間から前記手袋本体の生地がほぼ見えないものである。特に、前記手袋本体は、生地糸を編み上げて形成されているものが好ましい。
【考案の効果】
【００１０】
本考案の手袋は、製造工程が簡単でコストが安価であり、糸により形成された縫い取り部で補強し、耐久性が高く、確実に手を保護することができる。手袋本体が編生地で作られている場合は、親指部と人差し指部の間の谷の部分は網生地の境目となり、長期間使用すると穴が生じることがあるが、縫い取り部が、親指部の途中から人差し指部の途中にかけて同じ縫い方で形成されているため、境目がなくなり、穴が開くことがなく安全である。
【図面の簡単な説明】
【００１１】
【図１】この考案の一実施形態の手袋の正面図である。
【図２】この実施形態の手袋の背面図である。
【考案を実施するための形態】
【００１２】
以下、この考案の実施形態について図面に基づいて説明する。図１、図２はこの考案の一実施形態を示すもので、この実施形態の手袋１０は、ナイロン、ポリエステル、綿、ウール、アクリル等の生地糸を手袋状に編み上げた手袋本体１２から成る。図１は手袋１０の正面図を示し、右手用で手の平側である。図２は手袋１０の背面図を示し、右手用で手の甲側である。なお、図１は左手用の手の甲側と同じ形状であり、図２は左手の手の平側と同じ形状である。
【００１３】
手袋本体１２は、手の平部１４と手の甲部１６が筒状に形成され、一方の端部に親指、人差し指、中指、薬指、小指に対応する親指部１８、人差し指部２０、中指部２２、薬指部２４、が順に形成されている。他端部は、やや狭くなって筒状に開口した手首部２８が設けられている。手首部２０は、伸縮性が高い編み方で手首にフィットするように作られている。
【００１４】
親指部１８の、人差し指部２０に近い側縁部１８ａと、人差し指部２０の、親指部１８に近い側縁部２０ａは、Ｖ字状に交差し、交差する交点をほぼ中心とする谷部２１には、丈夫な糸２９で形成された縫い取り部３０が設けられている。縫い取り部３０は、側縁部１８ａと側縁部２０ａに対して交差する方向に所定の幅で糸２９を渡す縫い方であり、縫い方の種類は、ジグザグミシン線等自由に選択可能である。隣接する糸２９どうしの間隔は短く、糸２９と糸２９の間から手袋本体１２の生地がほぼ見えないものである。縫い取り部３０は生地が糸２９で覆われて補強され、丈夫になる。
【００１５】
縫い取り部３０は、手の平部１４と手の甲部１６を互いに重ねて平坦にした状態で、生地に糸２９を複数回刺して生地を貫通するループを連続させて任意の形状に縫い表して形成される。縫い取り部３０は、手の平部１４と手の甲部１６に、同じ幅と同じ長さで形成される。縫い取り部３０の幅は、例えば成人用の手袋１０で約６ｍｍであり、長さは側縁部１８ａに沿って約２ｃｍと側縁部２０ａに沿って約２ｃｍで合計約４ｃｍである。縫い取り部３０は、谷部２１に沿ってＶ字状となっているが、縫い取り部３０を形成する時は側縁部１８ａと側縁部２０ａが一直線上となるように親指部１８と人差し指部２０を開いて縫い、このとき縫い取り部３０の糸２９の方向は、親指部１８と人差し指部２０で互いに平行となる。縫った後に親指部１８と人差し指部２０の形状を復元するとＶ字状となる。なお、これは縫い方の一例であり、これ以外の縫い方でもよい。
【００１６】
この実施形態の手袋１０の使用方法は、通常の手袋と同じである。親指と人差し指の間に物品を挟んで握る際は、固くて丈夫な縫い取り部３０が物品に接触する。
【００１７】
この実施形態の手袋１０によれば、製造工程が簡単でコストが安価であり、糸２９により形成された縫い取り部３０で補強し、耐久性が高く、確実に手を保護することができる。親指部１８と人差し指部２０の間の谷部２１は、着用者が物品を掴んだりして一番強く摩擦と衝撃を受けるが、谷部２１は縫い取り部３０で補強されて耐久性が高いため、薄くなったり破れたりすることを防ぐ。親指部１８と人差し指部２０の間の谷部２１は網生地の境目となり、長期間使用すると穴が生じることがあるが、縫い取り部３０が、親指部１８の途中から人差し指部２０の途中にかけて同じ縫い方で形成されているため、境目がなくなり、穴が開くことがなく、穴から砂やほこりが入ることがなく、衛生的で安全である。縫い取り部３０は、生地を貫通する糸２９のループで形成されているため、生地の伸縮性を維持し、着用者が自由に手を動かすことができる。
【００１８】
なお、この考案は上記実施形態に限定されるものではなく、縫い取り部の幅や長さ、糸どうしの間隔等は、上記以外でも良い。糸の材料は繊維綿や合成繊維等、用途により自由に選択可能である。手袋本体の生地や材料も自由に選択可能であり、編地以外に皮革や織生地等でもよい。また手袋の種類は問わず、作業用の軍手、天然ゴム素材、二トリルゴム素材、塩化ビニール素材、ウレタンゴム素材等を塗布した手袋、天然ゴム素材、塩化ビニール素材、二トリルゴム素材等で加工したすべり止め機能付き手袋、その他防寒用手袋等、いろいろなものに使用することができる。手袋本体と縫い取り部の材料や色は、同じでもよく異なるものでもよい。親指部と人差し指部の間の谷部以外の部分に縫い取り部を設けてもよい。
【符号の説明】
【００１９】
１０  手袋
１２  手袋本体
１４  手の平部
１６  手の甲部
１８  親指部
１８ａ，２０ａ  側縁部
２０  人差し指部
２１  谷部
２９  糸
３０  縫い取り部
【図１】
0003210001.tif 000003
【図２】
0003210001.tif 000004